(57)【特許請求の範囲】
【請求項１】
摺動自在に支持されスイッチをＯＮ・ＯＦＦする押しボタンと、この押しボタンの周囲に設けられ光源から発光された光を導光し押しボタンの周囲を照明する導光体とを備えた押しボタンスイッチの照明構造において、
前記押しボタンを摺動自在に支持するように前記導光体をリング状に形成し、
押しボタンに導光体からの抜けを規制する規制手段を設け、
前記導光体の内周縁に、導光体に導入された光を導出するすり鉢状に形成した光導出部を設け、
前記光源を導光体の円周方向に等間隔をおいて複数設け、前記光導入部の前記各光源に対応する部位に三角形に形成された凹部を設けたことを特徴とする押しボタンスイッチの照明構造。  
【発明の詳細な説明】
【技術分野】
【０００１】
本発明は、比較的径の大きい押しボタンの周囲を照明する押しボタンスイッチの照明構造に関するものである。
【背景技術】
【０００２】
従来の押しボタンスイッチの照明構造としては、押しボタンを、中央部に設けた不透明樹脂からなる押圧部と、この押圧部の周囲に設けた半透明乳白色樹脂からなるリング状の表示部とで構成し、押しボタンの中央部の下方に設けた光源から発光された光を、断面がＶ字状に形成された導光体によって前記表示部に導くようにしたものがある（例えば、特許文献１参照）。
【特許文献１】特開平６−２７２９５６号公報（段落「００２１」〜「００２３」、図１および図２）
【発明の開示】
【発明が解決しようとする課題】
【０００３】
上述した従来の押しボタンスイッチの照明構造においては、表示部が平坦状に形成されているため、導光体によって表示部に導かれた光は、表示部と直交する方向に放射される。このため、押しボタンの正面からは照明されたことを確認することはできるが、押しボタンに対し斜めになる方向からは照明されたことを確認しづらいという問題があった。また、押しボタンの中央部の下方に設けた一つの光源から発光された光を、押しボタンの周辺に設けたリング状の表示部に導く構造としているため、比較的径の大きい押しボタンの場合は、光量が不足し表示部全体を均一に照明することができないという問題もあった。
【０００４】
本発明は上記した従来の問題に鑑みなされたものであり、その目的とするところは、押しボタンに対し斜めになる方向からでも照明が確認でき、比較的径の大きい押しボタンでも押しボタンの周囲全体を均一に照明することができる押しボタンスイッチの照明構造を提供するところにある。
【課題を解決するための手段】
【０００５】
この目的を達成するために、請求項１に係る発明は、摺動自在に支持されスイッチをＯＮ・ＯＦＦする押しボタンと、この押しボタンの周囲に設けられ光源から発光された光を導光し押しボタンの周囲を照明する導光体とを備えた押しボタンスイッチの照明構造において、前記押しボタンを摺動自在に支持するように前記導光体をリング状に形成し、押しボタンに導光体からの抜けを規制する規制手段を設け、前記導光体の内周縁に、導光体に導入された光を導出するすり鉢状に形成した光導出部を設け、前記光源を導光体の円周方向に等間隔をおいて複数設け、前記光導入部の前記各光源に対応する部位に三角形に形成された凹部を設けたものである。
【発明の効果】
【０００９】
請求項１に係る発明によれば、リング状に形成された導光体の内周縁に設けた光導出部から導出される光は斜め上方に向かって放射されるため、押しボタンスイッチの正面のみならず斜め方向からでも照明されたことを確認することができる。また、光導入部から導入された光は導光体の円周方向に拡散されるため、複数の光源から発光された光が光導出部から均一に放射される。
【発明を実施するための最良の形態】
【００１３】
以下、本発明の実施の形態を図に基づいて説明する。図１は本発明に係る押しボタンスイッチの照明構造を示す平面図、図２は図１におけるII-II 線断面図であって、同図（Ａ）は押しボタンを押下していない状態を示し、同図（Ｂ）は押しボタンを押下した状態を示し、図３は図１におけるIII-III 線断面図、図４は同じく底面図、図５は同じく押しボタンを示し、同図（Ａ）は平面図、同図（Ｂ）は正面図、図６は同じく導光体を示し、同図（Ａ）は平面図、同図（Ｂ）は同図（Ａ）におけるVI（Ｂ）矢視図、図７は同じくプリント基板の一部を示す平面図である。
【００１４】
図２において、１はプラスチックによって形成された筺体であって、後述する押しボタン７が露呈する円形の窓２が設けられ、この窓２を囲むように裏面側に円環状の囲い壁３が一体に突設されている。４は筺体１の内部に設けられたプリント基板であって、後述する押しボタン７の押圧部１４によって作動子５ａが押圧されることによりＯＮするスイッチ５が実装されている。
【００１５】
７は頭部８と周部１０とによって略キャップ状に形成された押しボタンであって、頭部８は断面円弧状に形成されており、この頭部８の表面には、図５（Ａ）に示すように文字９が表記されている。この押しボタン７の周部１０の開放端部には、規制手段としてのフランジ１１が設けられており、このフランジ１１の円周方向の一部には、後述する導光体１５の回り止め用凸部１８が係合する回り止め用凹部１２が設けられている。また、この押しボタン７の頭部８の裏面には、円環状に形成されたストッパ１３と、スイッチ５の作動子５ａを押圧する平面視が十字状に形成された押圧部１４とが一体に設けられている。
【００１６】
図２において、１５は透光材によってリング状に形成された導光体であって、中央部に前記押しボタン７を摺動自在に支持する摺動孔１６が設けられており、この摺動孔１６の下端縁には押しボタン７のフランジ１１が係合する係合凹部１７が略全周にわたって設けられている。この係合凹部１７の円周方向の一部には、図４に示すように回り止め用凸部１８が設けられている。また、この摺動孔１６の上端縁には、鉛直方向から角度αだけ傾斜するすり鉢状に形成された光導出部１９が設けられており、この光導出部１９の表面には、導光体１５の円周方向に等間隔をおいて連続する凸条体と凹状溝とによって形成された乱反射部２０が設けられている。
【００１７】
導光体１５の下部には、図６（Ｂ）に示すように、側面視において三角形に形成された６個の凹部２２が、導光体１５の円周方向に等間隔をおいて６個設けられている。これら凹部２２には、後述する６個のＬＥＤ２５が対応し、これらＬＥＤ２５から発光された光がこれら凹部２２の表面から導光体１５内に導入されるように構成されており、これら凹部２２が光導入部を形成している。２３は導光体１５の周部に円周方向に等角度おいて設けられた４個の係合突起であって、図２（Ａ）に示すように筺体１の裏面に設けた係合凹部１ａに係合させることにより、筺体１に対して導光体１５の回動が規制される。また、導光体１５はプリント基板４と筺体１との間に挟持され、上下方向の移動が規制されている。
【００１８】
図７において、２５はプリント基板４に実装された光源としての６個のＬＥＤであって、上述したように導光体１５の６個の凹部２２に対応するように、スイッチ５の周囲に円周方向に等角度をおいて設けられている。これら６個のＬＥＤ２５は、部品実装装置によって実装しやすいように、４個のＬＥＤ２５が図中左右方向に延在し、２個のＬＥＤ２５がこれと直交するように図中上下方向に延在するように実装されている。
【００１９】
このような構成において、図４に示すように導光体１５の回り止め用凸部１８に押しボタン７の回り止め用凹部１２を係入させながら、押しボタン７の周部１０を、図２（Ａ）に示すように導光体１５の摺動孔１６に嵌合することにより、押しボタン７を導光体１５に摺動自在に支持させる。このように、導光体１５に回り止め用凸部１８を設け、押しボタン７に回り止め用凹部１２を設けたことにより、導光体１５に摺動自在に支持された押しボタン７は円周方向の回動が規制されるから、図１に示すように頭部８に表記された文字９が押しボタン７の円周方向にずれるようなことがない。
【００２０】
導光体１５に摺動自在に支持された押しボタン７は、フランジ１１が導光体１５の係合凹部１７に係合することにより、押しボタン７の導光体１５からの抜けが規制される。この押しボタン７の頭部８とプリント基板４との間には、図２（Ａ）に示すように圧縮コイルばね２７が弾装されており、この圧縮コイルばね２７の弾発力によって押しボタン７は同図に示すように上方に付勢され、この状態でスイッチ５はＯＦＦになっている。この状態では、押しボタン７の頭部８によって導光体１５の光導出部１９の一部が覆われており、断面円弧状に形成された頭部８の中央部が筺体１の表面と略同位置に位置付けられている。
【００２１】
この状態から押しボタン７を圧縮コイルばね２７の弾発力に抗して、図２（Ｂ）に示すように押下すると押圧部１４によって作動子５ａが押圧されてスイッチ５がＯＮになり、６個のＬＥＤ２５が発光する。この状態では、押しボタン７の頭部８によって一部が覆われていた導光体１５の光導出部１９の全体が開放される。ＬＥＤ２５から発光された光は、ＬＥＤ２５に対応する導光体１５の凹部２２から導光体１５内に導入される。導光体１５内に導入された光は、凹部２２が側面視において三角形に形成されているため、導光体１５内を円周方向に拡散するから、ＬＥＤ２５，２５間のＬＥＤ２５に対応していない部位にも光が導入される。
【００２２】
凹部２２から導光体１５内に導入された光は、導光体１５内を乱反射しながら光導出部１９から導出される。光導出部１９から導出される光は、光導出部１９が鉛直方向から角度αだけ傾斜するすり鉢状に形成されているため、角度βの範囲で斜め上方に放射される。このため、光導出部１９から放射された光は、押しボタン７の正面のみならず斜め方向からでも確認することができる。また、光導出部１９の表面に、導光体１５の円周方向に等間隔おいて連続する凸条体と凹状溝とによって形成された乱反射部２０が設けられているため、光導出部１９から放射される光が拡散されるから、光導出部１９の全体が略均一な光量で照明される。
【００２３】
また、上述したように、導光体１５内に導入された光は、凹部２２が側面視において三角形に形成されているため、導光体１５内を円周方向に拡散し、ＬＥＤ２５，２５間でＬＥＤ２５に対応していない部位にも光が導入されるから、６個のＬＥＤ２５から発光された光が光導出部１９から略均一に放射される。
【００２４】
なお、本実施の形態においては、押しボタン７に、押しボタン７の導光体１５からの抜けを規制する規制手段としてフランジ１１を設けたことにより、ＬＥＤ２５から発光された光がこのフランジ１１に遮断されないように、ＬＥＤ２５をフランジ１１に対応しない位置に設けているが、規制手段を押しボタン７の全周にわたって設けずに係合凸部等によって部分的に突設させた構造にすれば、ＬＥＤ２５を導光体１５の光導出部１９に対応させた位置に設けるようにしてもよい。
【図面の簡単な説明】
【００２５】
【図１】本発明に係る押しボタンスイッチの照明構造を示す平面図である。
【図２】図１におけるII-II 線断面図であって、同図（Ａ）は押しボタンを押下していない状態を示し、同図（Ｂ）は押しボタンを押下した状態を示す。
【図３】図１におけるIII-III 線断面図である。
【図４】本発明に係る押しボタンスイッチの照明構造を示す底面図である。
【図５】本発明に係る押しボタンスイッチの照明構造に使用する押しボタンを示し、同図（Ａ）は平面図、同図（Ｂ）は正面図である。
【図６】本発明に係る押しボタンスイッチの照明構造に使用する導光体を示し、同図（Ａ）は平面図、同図（Ｂ）は同図（Ａ）におけるVI（Ｂ）矢視図である。
【図７】本発明に係る押しボタンスイッチの照明構造に使用するプリント基板の一部を示す平面図である。
【符号の説明】
【００２６】
１…筺体、４…プリント基板、５…スイッチ、７…押しボタン、１１…フランジ（規制手段）、１２…回り止め用凹部（回り止め手段）、１５…導光体、１６…摺動孔、１７…係合凹部、１８…回り止め用凸部（回り止め手段）、１９…光導出部、２０…乱反射部、２２…凹部（光導入部）、２５…ＬＥＤ（光源）。
【図１】
0004725384.tif 000002
【図２】
0004725384.tif 000003
【図３】
0004725384.tif 000004
【図４】
0004725384.tif 000005
【図５】
0004725384.tif 000006
【図６】
0004725384.tif 000007
【図７】
0004725384.tif 000008